(57)【特許請求の範囲】
【請求項１】
外箱と内箱との間に断熱材を設けて箱状に構成され前記内箱の内部に貯蔵室を形成する断熱箱体と、前記貯蔵室内に当該貯蔵室内を上下に仕切るために設けられる仕切部と、を備え、
前記断熱箱体のうち少なくとも左右の側壁は、前記断熱材として、ガスを吸着する吸着剤が内部に設けられた真空断熱パネルを用いるとともに、この真空断熱パネルの一面を前記内箱の裏面に接着して構成され、
前記吸着剤は、前記側壁にあって前記仕切部と対応する部分を避けた位置に配置されていることを特徴とする冷蔵庫。
【請求項２】
前記側壁の前記内箱には、負荷が掛けられる取付部材が取り付けられていて、
前記吸着剤は、前記側壁にあって前記取付部材と対応する部分を避けた位置に配置されていることを特徴とする請求項１記載の冷蔵庫。
【請求項３】
前記取付部材は、前記内箱に形成された開口部に裏側から挿入されて一部が前記貯蔵室内に突出し、基端部が前記内箱の裏側において前記真空断熱パネルに接着されていることを特徴とする請求項２記載の冷蔵庫。
【請求項４】
前記側壁の前記内箱には、負荷が掛けられる負荷受け部が一体成形されていて、
前記吸着剤は、前記側壁にあって前記負荷受け部を避けた位置に配置されていることを特徴とする請求項１〜３のいずれか一項に記載の冷蔵庫。
【請求項５】
前記吸着剤は、前記側壁における後部に配置されていることを特徴とする請求項１〜４のいずれか一項に記載の冷蔵庫。
【請求項６】
前記吸着剤は、前記側壁にあって前記仕切部の下方に配置されていることを特徴とする請求項５記載の冷蔵庫。
【発明の詳細な説明】
【技術分野】
【０００１】
本発明の実施形態は冷蔵庫に関する。
【背景技術】
【０００２】
従来、冷蔵庫のキャビネットを構成する断熱箱体は、金属板製の外箱と合成樹脂製の内箱との間にウレタンからなる発泡断熱材を設けて構成されるのが一般的であったが、断熱性能の向上および発泡断熱材の使用量の低減を図るために、外箱と内箱との間の断熱材として真空断熱パネルと発泡断熱材とを併用することが行われている。
【０００３】
また、最近では、発泡断熱材の使用量を一層少なくするために、真空断熱パネルをメインの断熱材として使用する構造も考えられている。この構造は、真空断熱パネルの一面を外箱の内面に接着するとともに、真空断熱パネルの前記一面とは反対側の他面を内箱の外面（裏面）に接着し、真空断熱パネルを外箱と内箱で挟み込んだ構成とするものである。
【０００４】
真空断熱パネルは、ガラスウールなどのコア材を、ガスバリア性を有する包装材内に収容し、その包装材内を真空引きすることによって形成される。その際、長期の信頼性を確保するため、真空断熱パネルの内部に、ガス特に水蒸気ガスを吸着する吸着剤（乾燥剤）を設けることが多い。このように真空断熱パネル内に吸着剤を設ける場合、前記コア材を前記包装材内に収容する前に、コア材に形成された収容凹部内に、通気性を有する不織布等で覆われた吸着剤を収容配置し、この後、コア材を吸着剤ごと前記包装材内に収容し、その包装材内を真空引きする。このようにして形成された真空断熱パネルにおいては、その表面に、前記吸着剤に対応する部分でやむを得ず凹凸が形成されるようになる。
【０００５】
このような構成の真空断熱パネルの一面を内箱の外面に接着剤を用いて接着すると、前記吸着剤に対応する部分の表面の凹凸の影響により、真空断熱パネルと内箱との間に微妙な隙間ができやすく、局部的に接着力が低下して脆弱な部分が発生しやすい。その接着力が脆弱な部分に対応して、例えば断熱箱体内に形成される貯蔵室を上下に仕切るための仕切部が設けられた場合、仮にその仕切部と内箱とが強固に結合されていたとしても、真空断熱パネルと内箱との接着強度が劣るために、仕切部自体の自重が大きい場合や当該仕切部に負荷がかかるような場合には、内箱が変形するなどして、仕切部の固定強度が大幅に劣るようになることが懸念される。また、長期間の使用により前記吸着剤部分が膨れ上がるようになった場合には、真空断熱パネルと内箱との間の接着強度が一層低下することが懸念される。
【先行技術文献】
【特許文献】
【０００６】
【特許文献１】特開平４−２６０７８０号公報
【発明の概要】
【発明が解決しようとする課題】
【０００７】
そこで、断熱箱体の側壁の断熱材に、内部に吸着剤を設けた真空断熱パネルを用い、この真空断熱パネルの一面を内箱に接着するようにしたものにおいて、貯蔵室内に設けられる仕切部の固定強度が大幅に劣るようなことを防止できる冷蔵庫を提供する。
【課題を解決するための手段】
【０００８】
本実施形態の冷蔵庫は、外箱と内箱との間に断熱材を設けて箱状に構成され内箱の内部に貯蔵室を形成する断熱箱体と、貯蔵室内に当該貯蔵室内を上下に仕切るために設けられる仕切部と、を備える。断熱箱体のうち少なくとも左右の側壁は、断熱材として、ガスを吸着する吸着剤が内部に設けられた真空断熱パネルを用いるとともに、この真空断熱パネルの一面を内箱の裏面に接着して構成する。吸着剤は、側壁にあって仕切部と対応する部分を避けた位置に配置する。
【図面の簡単な説明】
【０００９】
【図１】第１実施形態による冷蔵庫の外観斜視図
【図２】断熱箱体の斜視図
【図３】図２より下側から見た状態の断熱箱体の斜視図
【図４】断熱箱体の分解斜視図
【図５】左側壁用断熱パネルの分解斜視図
【図６】図５におけるＸ６−Ｘ６線に沿う真空断熱パネルの部分横断面図
【図７】棚受部部分の縦断正面図
【図８】仕切板部分の縦断正面図
【図９】第１のレール用取付部材部分の縦断正面図
【図１０】断熱仕切壁部分の縦断正面図
【図１１】第２実施形態による真空断熱パネルの部分横断面図
【図１２】第３実施形態による断熱仕切壁部分の縦断正面図
【発明を実施するための形態】
【００１０】
以下、複数の実施形態による冷蔵庫を図面に基づいて説明する。なお、各実施形態において実質的に同一の部分には同一の符号を付し、説明を省略する。
（第１実施形態）
まず、第１実施形態について図１〜図１０を参照して説明する。図１には第１実施形態の冷蔵庫１の外観が示され、図２および図３には冷蔵庫１のキャビネットを構成する断熱箱体２の外観が示されている。断熱箱体２の内部には、上から順に冷蔵室３、野菜室４が設けられ、この野菜室４の下方に製氷室５と小冷凍室６が左右に並べて設けられ、最下部に主冷凍室７が設けられている。これら冷蔵室３、野菜室４、製氷室５、小冷凍室６、および主冷凍室７は、それぞれ貯蔵室を形成している。このうち、冷蔵室３および野菜室４は、庫内温度が例えば１℃〜５℃程度の冷蔵温度に制御される。このように冷蔵室３および野菜室４は、いずれも冷蔵温度帯の貯蔵室であることから、例えば合成樹脂製の仕切板８（仕切部に相当）によって仕切られている。製氷室５、小冷凍室６、および主冷凍室７は、庫内温度が例えば−１８℃以下の冷凍温度に制御されるもので、冷凍温度帯の貯蔵室である。冷蔵温度帯の野菜室４と、冷凍温度帯の製氷室５および小冷凍室６との間は、断熱性を有する断熱仕切壁９（仕切部に相当）によって上下に仕切られている。なお、冷蔵庫１には、冷蔵温度帯の貯蔵室および冷凍温度帯の貯蔵室を冷却するために、図示はしないが圧縮機、凝縮器、蒸発器（冷却器）を備えた冷凍サイクルが設けられている。
【００１１】
図２および図３に示すように断熱箱体２の前部において、前記仕切板８の前方に位置させて横方向に延びる前仕切部１０が設けられ、前記断熱仕切壁９の前方に位置させて横方向に延びる前仕切部１１が設けられている。また、断熱箱体２の前部において、製氷室５と小冷凍室６との間に位置させて上下方向に延びる前仕切部１２が設けられ、製氷室５および小冷凍室６と主冷凍室７との間に位置させて横方向に延びる前仕切部１３が設けられている。
【００１２】
冷蔵室３は、前面が２枚の扉１５，１６によって開閉される。扉１５，１６は、断熱箱体２の左右両端部に設けられたヒンジ部１７，１８を中心に前後方向に回動される観音開き式である。野菜室４は、前面が引き出し式の扉１９によって開閉される。その扉１９の裏側には、図示しない野菜収納容器が設けられている。製氷室５は、前面が引き出し式の扉２０によって開閉される。製氷室５には図示しない製氷装置が設けられ、扉２０の裏側には、図示しない氷収納容器が設けられている。小冷凍室６は、前面が引き出し式の扉２１によって開閉される。その扉２１の裏側には、図示しない収納容器が設けられている。主冷凍室７も、前面が引き出し式の扉２２によって開閉される。その扉２２の裏側には、図示しない収納容器が設けられている。
【００１３】
前記断熱箱体２は、図４に示すように、後壁を形成する後壁用断熱パネル２５と、左側壁を形成する左側壁用断熱パネル２６と、右側壁を形成する右側壁用断熱パネル２７と、天井壁を形成する天井壁用断熱パネル２８と、底壁を形成する底壁用断熱パネル２９とを組み合わせることによって、前面が開口した箱状に構成されている。後壁用断熱パネル２５と左側壁用断熱パネル２６とは、左後部のコーナー部において固定具２３を用いて連結固定されている。また、後壁用断熱パネル２５と右側壁用断熱パネル２７とは、右後部のコーナー部において前記固定具２３と同様な固定具（図示せず）を用いて連結固定されている。左側壁用断熱パネル２６の前部と右側壁用断熱パネル２７の前部とは、前記前仕切部１０，１１，１３によって連結されている。断熱箱体２は、それら前仕切部１０，１１，１３によって補強されている。
【００１４】
これら断熱パネル２５〜２９の概略構成は同様であるので、左側壁用断熱パネル２６を代表して説明する。図５に示すように、左側壁用断熱パネル２６は、外箱用の金属板製の外板３０と、内箱用の合成樹脂製の内板３１と、これら外板３０と内板３１との間に挟まれた状態で配置される断熱材としてパネル状の真空断熱パネル３２とから構成されている。内板３１は、弾性変形が可能なシート状をなしている。真空断熱パネル３２は、図７〜図１０に示すように、一面を内板３１の裏面に接着剤３３により接着固定するとともに、前記一面とは反対側の他面を外板３０の内面に接着剤３４により接着固定することにより、内板３１と外板３０との間に挟み込まれた状態となっている。
【００１５】
真空断熱パネル３２は、図６に示すように、ガラスウールなどのコア材３５と、このコア材３５に形成された収容凹部３６内に収容配置された吸着剤３７と、ガスバリア性を有する包装材３８とから構成されている。吸着剤３７は、ガス特に水蒸気ガスを吸着するシリカゲルやゼオライトなどの多数の粒材を、通気性を有する不織布などで覆った構成で、乾燥剤としても使用されるものである。このような吸着剤３７は、長期の使用により水分を吸着すると膨らみ変形する。この場合、吸着剤３７は、真空断熱パネル３２にあって、内板３１側の表面付近に配置される。
【００１６】
真空断熱パネル３２は、次のようにして製造される。コア材３５の収容凹部３６内に吸着剤３７を複数個配置し、そのコア材３５を吸着剤３７ごと包装材３８内に収容し、この状態で包装材３８内を真空引きすることによってパネル状（板状）に製造される。この場合、吸着剤３７は、真空断熱パネル３２において後部の下部の２箇所に２個ずつ配置している。この吸着剤３７の具体的な配置については後述する。このようにして製造される真空断熱パネル３２においては、包装材３８の表面にあって前記吸着剤３７（収容凹部３６）に対応する部分の表面に窪み部３９が生じ、表面が凹凸状になる。この真空断熱パネル３２の一面を内板３１に接着した場合、図６に示すように、前記窪み部３９部分において真空断熱パネル３２と内板３１とが離間した離間部３９ａが形成される。なお、真空断熱パネル３２のコア材３５は、上記の他に、例えば抄紙法や加熱圧縮法で製造してもよい。
【００１７】
左側壁用断熱パネル２６の内箱を形成する内板３１には、図２〜図５に示すように棚受部４０と、仕切板用取付部材４１と、第１のレール用取付部材４２と、仕切壁用取付部材４３と、第２のレール用取付部材４４が設けられている。なお、左側壁用断熱パネル２６と対向する右側壁用断熱パネル２７の内板３１にも、図示はしないが、左側壁用断熱パネル２６の前記棚受部４０と、仕切板用取付部材４１と、第１のレール用取付部材４２と、仕切壁用取付部材４３と、第２のレール用取付部材４４と対向するように、棚受部４０と、仕切板用取付部材４１と、第１のレール用取付部材４２と、仕切壁用取付部材４３と、第２のレール用取付部材４４が設けられている。
【００１８】
このうち、棚受部４０は、冷蔵室３に対応する上部で、かつ前後方向の中間部に位置させて、上下方向に３段設けられている。各棚受部４０は、図７に示すように冷蔵室３内へ突出するように内板３１に一体成形により設けられている。内板３１の裏面側には、各棚受部４０を補強する補強板４５が設けられている。内板３１および補強板４５の裏面は、真空断熱パネル３２の一面に接着剤３３により接着固定されている。各棚受部４０には、冷蔵室３内に設けられる棚板４６（図７の二点鎖線参照）が載置される。棚板４６には、貯蔵品が載置される。したがって、各棚受部４０には、棚板４６および貯蔵品などの負荷が掛けられる。なお、棚受部４０の強度が確保されれば、補強板４５はなくてもよい。各棚受部４０は、内板３１（内箱）に一体成形され、負荷が掛けられる負荷受け部に相当する。
【００１９】
仕切板用取付部材４１は、冷蔵室３と野菜室４との間を仕切る仕切板８に対応する部位に位置させて、前部と後部に１個ずつ設けられている。この仕切板用取付部材４１は、図８に示すように、横方向へ突出する凸部４１ａと、その凸部４１ａの基端部から外方へ延びるように設けられた取付片４１ｂとを一体に有した、例えば合成樹脂製のものである。この仕切板用取付部材４１は、内板３１に形成された開口部４７に、当該内板３１の裏側から凸部４１ａを挿入してその凸部４１ａを内板３１の表面側に突出させることによって内板３１に取り付けられる。基端部の取付片４１ｂは、接着剤３３により真空断熱パネル３２の一面に接着固定される。この仕切板用取付部材４１には、仕切板８が載置される。仕切板８にも貯蔵品が載置される。したがって、各仕切板用取付部材４１には、仕切板８および貯蔵品などの負荷が掛けられる。各仕切板用取付部材４１は、内板３１（内箱）に取り付けられて負荷が掛けられる取付部材に相当する。
【００２０】
第１のレール用取付部材４２は、野菜室４に対応する部位に位置させて前後方向に複数個、この場合４個設けられている。この第１のレール用取付部材４２は、図９に示すように、横方向へ突出するコ字形のレール支持部４２ａと、このレール支持部４２ａの基端部から上方および下方へ延びる取付片４２ｂとを一体に有した、例えば金属板製のものである。この第１のレール用取付部材４２も、仕切板用取付部材４１と同様に、内板３１に形成された開口部４８に、当該内板３１の裏側からレール支持部４２ａを挿入してそのレール支持部４２ａを内板３１の表面側に突出させることによって内板３１に取り付けられる。この第１のレール用取付部材４２には、固定レール４９がねじ５０により固定され、この固定レール４９に可動レール５１が前後方向にスライド可能に設けられる。この可動レール５１は、野菜室４の扉１９の裏側に取り付けられる支持枠（図示せず）の前後方向の移動を案内する。その支持枠に野菜収納容器（図示せず）が取り付けられる。基端部の取付片４２ｂも、接着剤３３により真空断熱パネル３２の一面に接着固定される。したがって、第１のレール用取付部材４２には、固定レール４９、可動レール５１、支持枠、野菜容器、当該野菜容器に収容される貯蔵品などの負荷が掛けられる。第１のレール用取付部材４２も、内板３１（内箱）に取り付けられて負荷が掛けられる取付部材に相当する。
【００２１】
仕切壁用取付部材４３は、前記断熱仕切壁９が設けられる部位に位置させて、前部と後部に１個ずつ設けられている。この仕切壁用取付部材４３も、図１０に示すように、前記仕切板用取付部材４１と同様に、横方向へ突出する凸部４３ａと、その凸部４３ａの基端部から外方へ延びるように設けられた取付片４３ｂとを一体に有した、例えば合成樹脂製のものである。この仕切壁用取付部材４３も、内板３１に形成された開口部５２に、当該内板３１の裏側から凸部４３ａを挿入してその凸部４３ａを内板３１の表面側に突出させることによって内板３１に取り付けられる。基端部の取付片４３ｂも、接着剤３３により真空断熱パネル３２の一面に接着固定される。この仕切壁用取付部材４３には、断熱仕切壁９が載置される。したがって、各仕切壁用取付部材４３にも、断熱仕切壁９の負荷が掛けられる。各仕切壁用取付部材４３も、内板３１（内箱）に取り付けられて負荷が掛けられる取付部材に相当する。
【００２２】
前記第２のレール用取付部材４４は、主冷凍室７に対応する部位に位置させて前後方向に複数個、この場合４個設けられている。この第２のレール用取付部材４４も、前記第１のレール用取付部材４２と同様にして内板３１に取り付けられている。第２のレール用取付部材４４にも、第１のレール用取付部材４２と同様に、固定レール、可動レール、支持枠、収納容器、当該収納容器に収容される貯蔵品などの負荷が掛けられる。第２のレール用取付部材４４も、内板３１（内箱）に取り付けられて負荷が掛けられる取付部材に相当する。
【００２３】
さて、前記左側壁用断熱パネル２６において、前記真空断熱パネル３２の内部に設けられた吸着剤３７は、野菜室４に臨む部位の後部で、かつ仕切板８の下方、特には第１のレール用取付部材４２の下方に２個配置され、また、主冷凍室７に臨む部位の後部で、かつ断熱仕切壁９の下方、特には第２のレール用取付部材４４の下方に２個配置されている。右側壁用断熱パネル２７においても、真空断熱パネル３２の吸着剤３７は、左側壁用断熱パネル２６における吸着剤３７と対向する位置に配置されている。したがって、この場合、左側壁用断熱パネル２６および右側壁用断熱パネル２７において、真空断熱パネル３２の内部に設けられた吸着剤３７は、仕切部を構成する仕切板８および断熱仕切壁９に対応する部分（仕切板用取付部材４１および仕切壁用取付部材４３に対応する部分）と、負荷を受ける棚受部４０、第１のレール用取付部材４２、第２のレール用取付部材４４に対応する部分を避けた位置に配置している。
【００２４】
このような構成のものにおいて、真空断熱パネル３２の吸着剤３７が水分を吸着することに伴い膨らむと、弾性変形しやすい内板３１も膨らみ変形しやすいという事情がある。この場合、真空断熱パネル３２における内板３１側の表面には、吸着剤３７（収容凹部３６）に対応する部分に窪み部３９（図６参照）が形成されているので、その吸着剤３７が膨らんでも、その膨らみ変形が窪み部３９にて一部吸収されるようになり、内板３１が大きく膨らみ変形することが抑えられる。
【００２５】
上記した実施形態によれば、次のような作用効果を得ることができる。
左側壁用断熱パネル２６および右側壁用断熱パネル２７において、真空断熱パネル３２の内部に設けられた吸着剤３７は、仕切部を構成する仕切板８および断熱仕切壁９に対応する部分を避けた位置に配置している。これにより、真空断熱パネル３２と、仕切板８および断熱仕切壁９に対応する内板３１の裏面との間を接着剤３３により良好に接着することができて接着力が極端に低下することを防止でき、仕切板８および断熱仕切壁９の固定強度が大幅に劣るようなことを防止できる。
【００２６】
また、左側壁用断熱パネル２６および右側壁用断熱パネル２７において、真空断熱パネル３２の内部に設けられた吸着剤３７は、内板３１に取り付けられて負荷が掛けられる仕切板用取付部材４１、仕切壁用取付部材４３、第１のレール用取付部材４２、第２のレール用取付部材４４を避けた位置に配置している。これにより、真空断熱パネル３２と、それら仕切板用取付部材４１、仕切壁用取付部材４３、第１のレール用取付部材４２、第２のレール用取付部材４４が取り付けられた内板３１の裏面との間を接着剤３３により良好に接着でき、その接着剤３３の接着力が極端に低下することを防止でき、それら仕切板用取付部材４１、仕切壁用取付部材４３、第１のレール用取付部材４２、第２のレール用取付部材４４の取付強度が大幅に劣るようなことを防止できる。
【００２７】
また、左側壁用断熱パネル２６および右側壁用断熱パネル２７において、真空断熱パネル３２の内部に設けられた吸着剤３７は、内板３１に一体成形された棚受部４０を避けた位置に配置している。これにより、真空断熱パネル３２と、棚受部４０が設けられた内板３１の裏面との間を接着剤３３により良好に接着することができ、その接着剤３３の接着力が極端に低下することを防止でき、棚受部４０の強度が大幅に劣るようなことを防止できる。
【００２８】
そして、左側壁用断熱パネル２６および右側壁用断熱パネル２７において、真空断熱パネル３２の内部に設けられた吸着剤３７は、野菜室４および主冷凍室７の後部に配置している。これにより、仮に吸着剤３７の影響により内板３１が変形したとしても、その変形部分は、使用者が扉１９，２２を開放しても使用者からは見え難く、目立ち難くできる。特に野菜室４および主冷凍室７は引出し式の扉１９，２２によって開閉される場所であり、前記吸着剤３７の影響により内板３１が変形したとしても、その変形部分は、扉１９，２２の裏側に存する支持枠や、野菜収納容器、収納容器によって隠されることになるので、使用者からは一層見え難くできる。しかも、前記吸着剤３７は、仕切板８および断熱仕切壁９の下方に配置しているので、仮に吸着剤３７の影響により内板３１が変形したとしても、その変形部分は、使用者からは一層見え難くできる。
【００２９】
なお、後壁用断熱パネル２５における内板３１の前面側は、冷気ダクトを形成するカバーなどにより前方から覆われるので、後壁用断熱パネル２５における真空断熱パネルの吸着剤の位置は特には限定しない。
【００３０】
（第２実施形態）
図１１は第２実施形態を示す。この実施形態では、真空断熱パネル３２における吸着剤３７の形状が第１実施形態とは異なっている。吸着剤３７は、内板３１側の表面の中央部が外側へ凸となる凸部５３を有する形状をなしている。これにより、真空断熱パネル３２の表面に形成される離間部３９ａの一部を内板３１に近づけて接着することができるようになる。
【００３１】
（第３実施形態）
図１２は第３実施形態を示す。この実施形態では、左側壁用断熱パネル２６（右側壁用断熱パネル２７も同様）において、真空断熱パネル３２に設けられる吸着剤３７を、断熱仕切壁５５に対応する部位に配置する必要がある場合に対応するものである。このような場合、断熱仕切壁５５には、内板３１側の端部に位置させて凹部５６を形成している。凹部５６は、内板３１側が開口し、吸着剤３７よりも上下方向の長さが大きく形成されている。このような構成によれば、真空断熱パネル３２において、仮に長期間の使用に伴い吸着剤３７部分が膨らみ、それに伴い内板３１部分が変形したとしても、その変形分を前記凹部５６により吸収することが可能になり、周囲に与える影響を極力小さくすることが可能になる。
【００３２】
（その他の実施形態）
真空断熱パネル３２において、吸着剤３７は、内板３１側に配置することに代えて、外板３０側に配置してもよい。このようにした場合には、吸着剤３７が膨らみ変形しても、内板３１（内箱）はふくらみ変形し難くなる。
断熱箱体２において、後壁用断熱パネル２５、天井壁用断熱パネル２８、および底壁用断熱パネル２９には、断熱材として必ずしも真空断熱パネル３２を用いる必要はなく、発泡断熱材としてもよい。
【００３３】
以上のように本実施形態の冷蔵庫によると、断熱箱体のうち少なくとも左右の側壁は、断熱材として吸着剤が内部に設けられた真空断熱パネルを用いるとともに、この真空断熱パネルの一面を内箱の裏面に接着して構成されるものにおいて、吸着剤は、前記側壁にあって仕切部と対応する部分を避けた位置に配置した。これにより、真空断熱パネルと、仕切部に対応する内箱の裏面との間を良好に接着することができて接着力が極端に低下することを防止でき、仕切部の固定強度が大幅に劣るようなことを防止できる。
【００３４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３５】
図面中、１は冷蔵庫、２は断熱箱体、３は冷蔵室（貯蔵室）、４は野菜室（貯蔵室）、５は製氷室（貯蔵室）、６は小冷凍室（貯蔵室）、７は主冷凍室（貯蔵室）、８は仕切板（仕切部）、９は断熱仕切壁（仕切部）、２６は左側壁用断熱パネル（側壁）、２７は右側壁用断熱パネル（側壁）、３０は外板（外箱）、３１は内板（内箱）、３２は真空断熱パネル、３３，３４は接着剤、３７は吸着剤、４０は棚受部（負荷受け部）、４１は仕切板用取付部材（取付部材）、４２は第１のレール用取付部材（取付部材）、４３は仕切壁用取付部材（取付部材）、４４は第２のレール用取付部材（取付部材）、５５は断熱仕切壁（仕切部）、５６は凹部を示す。
【図１】
0005780844.tif 000002
【図２】
0005780844.tif 000003
【図３】
0005780844.tif 000004
【図４】
0005780844.tif 000005
【図５】
0005780844.tif 000006
【図６】
0005780844.tif 000007
【図７】
0005780844.tif 000008
【図８】
0005780844.tif 000009
【図９】
0005780844.tif 000010
【図１０】
0005780844.tif 000011
【図１１】
0005780844.tif 000012
【図１２】
0005780844.tif 000013